(57)【要約】【課題】簡単に分解可能なモジュール化静電除去器を提供する。【解決手段】  簡単に分解可能なモジュール化静電除去器は、殻体と、高電圧モジュールと、監視制御装置と、を含み、該殻体の一側に第１開口を設け、且つ該殻体内の少なくとも一側に第１滑動部を設け、該殻体が回路接続板を設け、該回路接続板が第１接続部を設け、且つ該回路接続板が第２接続部を設けてなり、該高圧モジュールが回路板を設け、該回路板が変圧器を設け、且つ該回路板が第２接続部材を設けてなり、該監視制御装置は、電源制御モジュールを設け、且つ該監視制御モジュールが第１接続部材を設けてなり、本考案のモジュール化した構造によって、それぞれモジュール化した回路板を電気接続させることができ、簡単に分解を達成でき、且つ迅速に組み立てでき、電子部品の修理及び交換時間を大幅に短縮し、人力資源の節減を達成する。【選択図】図１０
0003146215.tif 000002
【実用新案登録請求の範囲】
【請求項１】
殻体と、高電圧モジュールと、放電モジュールと、送風装置と、を含み、
該殻体の少なくとも一側に第１開口を設け、且つ該殻体の少なくとも一側に第１滑動部を設け、該殻体の一側に第１通風口を設け、且つ該第１殻体内に収容空間を設けてなり、
該高圧モジュールが殻体内の収容空間に設けられ、且つ該高圧モジュールが回路板を設け、該回路板が変圧器を設け、且つ該回路板一側に底台を設け、該底台に支持部を設けてなり、
該放電モジュールが通孔を設け、該通孔が高圧モジュールの底台の支持部に套設し、且つ該放電モジュールが複数の放電針を設けてなり
該送風装置は、殻体一側に固定設置されてなることを特徴とする簡単に分解可能なモジュール化静電除去器。
【請求項２】
前記殻体の一側に第２通風口を設け、且つ該殻体一側に第２開口を設けてなることを特徴とする請求項１記載の簡単に分解可能なモジュール化静電除去器。
【請求項３】
前記殻体内の収容空間に回路接続板を収容設置し、該回路接続板が第１接続部を設け、且つ該回路接続板が第２接続部を設け、該回路接続板が第３接続部を設けてなることを特徴とする請求項１記載の簡単に分解可能なモジュール化静電除去器。
【請求項４】
前記回路接続板が被滑動部を設けてなることを特徴とする請求項３記載の簡単に分解可能なモジュール化静電除去器。
【請求項５】
前記収容空間に操作モジュールを設け、該操作モジュールに第３接続部材を設け、該第３接続部材が回路接続板の第３接続部に電気接続することを特徴とする請求項１記載の簡単に分解可能なモジュール化静電除去器。
【請求項６】
前記高圧モジュールの回路板が第２接続部材を設け、且つ該高圧モジュールの回路板が電源接点を設けることを特徴とする請求項１記載の簡単に分解可能なモジュール化静電除去器。
【請求項７】
前記放電モジュールの支持部が固定部材を設け、該固定部材が軸心を設けることを特徴とする請求項１記載の簡単に分解可能なモジュール化静電除去器。
【請求項８】
前記殻体の第１通風口の一側に通気窓を設けることを特徴とする請求項１記載の簡単に分解可能なモジュール化静電除去器。
【請求項９】
前記殻体内の収容空間に監視制御装置を設け、該監視制御装置に電源制御モジュールを設け、該電源制御モジュールが第１接続部材を設け、且つ該監視制御装置が底台を設け、該底台の少なくとも一側に第３滑動部を設けることを特徴とする請求項１記載の簡単に分解可能なモジュール化静電除去器。
【考案の詳細な説明】
【技術分野】
【０００１】
本考案は、簡単に分解可能なモジュール化静電除去器に関し、特に、簡単に分解でき、迅速に組み立てでき、電子部品の修理及び交換時間を大幅に短縮でき、人力資源の節減を達成する簡単に分解可能なモジュール化静電除去器に関する。
【背景技術】
【０００２】
例えば、中華民国発明公開第200631269号「静電除去器及び電子放電モジュール」は、図１及び図２に示すように、該静電除去器は、箱体９３と、通風機９５と、を含み、該箱体９３内に空気ガイド管９３１を螺合し、該空気ガイド管９３１は、突起部分９３２を設け、該突起部分９３２は、電源（図示せず）と電子放電モジュール９４を固定設置し、該電子放電モジュール９４は、複数の放電電極９４１を設けてなり、該通風機９５は、箱体９３の一側に螺合され、且つ該通風機９５の一側に固定通気窓９５１を設けてなり、該突起部分９３２が電子放電モジュール９４と電源を固定設置し、該電子放電モジュール９４の放電電極９４１を動作させることができ、物体の静電を除去する動作をすることができる。
【特許文献１】中華民国発明公開第200631269号
【特許文献２】実用新案登録第3140655号公報
【考案の開示】
【考案が解決しようとする課題】
【０００３】
従来の上記「静電除去器及び電子放電モジュール」は、物体の静電除去の目的を達成できるが、該空気ガイド管９３１と通風機９５および固定通気窓９５１は、箱体９３の一側に連帯して螺子で固定され、該空気ガイド管９３１を分解しようとする時、該通風機９５と固定通気窓９５１を連帯して分解する必要があり、且つ該空気ガイド管９３１を組み立てる時、該通風機９５と固定通気窓９５１を一緒に組み立てる必要があり、また、その空気ガイド管９３１の突起部分９３２は、電子放電モジュール９４に溶接固定され、該電子放電モジュール９４の分解が容易でなくなり、特に、電子放電モジュール９４を大きな力で引き離す時、該突起部分９３２と電子放電モジュール９４の損傷を引き起こし、組み立て及び修理上の不便となり、且つ修理上の困難を増加させる。
【０００４】
本考案の課題は、従来の以上の欠点を改善するためなされたもので、厚さを縮小した静電除去器を提供することにある。
【課題を解決するための手段】
【０００５】
上述の課題を解決するため、請求項１の考案は、簡単に分解可能なモジュール化静電除去器であって、殻体と、高電圧モジュールと、放電モジュールと、固定部材と、通気窓と、監視制御装置と、送風装置とを含み、  該殻体が第１殻体を設け、該第１殻体の一面に第１通風口を設け、且つ該第１殻体内に第１滑動部を設け、該第１殻体内に第２滑動部を設け、且つ該殻体に第２殻体を設け、該第２殻体の一側に第１開口を設け、且つ該第２殻体の一側に第２通風口を設け、該第２殻体の一側に第２開口を設け、且つ該第２殻体に支軸を設け、該支軸が回路接続板を固定設置し、該回路接続板が第１接続部を設け、且つ該回路接続板が第２接続部を設け、該回路接続板が第３接続部を設け、該第１殻体が第２殻体と相互に固定設置され一体に形成されてなり、該高圧モジュールが回路板を設け、該回路板が変圧器を設け、且つ該回路板が第２接続部材を設け、該回路板が電源接点を設け、且つ該回路板の一側に底台を設け、該底台に支持部を設けてなり、該放電モジュールが複数の放電針を設け、該放電モジュールが通孔を設け、該通孔が高圧モジュールの回路板の一側の支持部に套設してなり、該固定部材は軸心を設け、該軸心は、放電モジュール内の通孔に穿合されてなり、該通気窓は、挟持部を設け、該挟持部は中空Ｕ形の弾性挟みであり、且つ該挟持部は、第１殻体の第１通風口を挟持固定してなり、該監視制御装置は、底台を設け、該底台は、電源制御モジュールを設け、該電源制御モジュールは第１接続部材を設け、該第１接続部材は、第２殻体の第２開口に穿合し、殻体の回路接続板の第１接続部と電機接続し、且つ該底台の少なくとも一側に第３滑動部を設けてなり、該送風装置は、第２殻体の第２通風口の一側に固定設置されることを特徴とする。
【０００６】
請求項２の考案は、請求項１記載の簡単に分解可能なモジュール化静電除去器において、前記殻体の一側に第２通風口を設け、且つ該殻体一側に第２開口を設けてなることを特徴とする。
請求項３の考案は、請求項１記載の簡単に分解可能なモジュール化静電除去器において、前記殻体内の収容空間に回路接続板を収容設置し、該回路接続板が第１接続部を設け、且つ該回路接続板が第２接続部を設け、該回路接続板が第３接続部を設けてなることを特徴とする。
請求項４の考案は、請求項３記載の簡単に分解可能なモジュール化静電除去器において、前記回路接続板が被滑動部を設けてなることを特徴とする。
請求項５の考案は、請求項１記載の簡単に分解可能なモジュール化静電除去器において、前記収容空間に操作モジュールを設け、該操作モジュールに第３接続部材を設け、該第３接続部材が回路接続板の第３接続部に電気接続することを特徴とする。
請求項６の考案は、請求項１記載の簡単に分解可能なモジュール化静電除去器において、前記高圧モジュールの回路板が第２接続部材を設け、且つ該高圧モジュールの回路板が電源接点を設けることを特徴とする。
請求項７の考案は、請求項１記載の簡単に分解可能なモジュール化静電除去器において、前記放電モジュールの支持部が固定部材を設け、該固定部材が軸心を設けることを特徴とする。
請求項８の考案は、請求項１記載の簡単に分解可能なモジュール化静電除去器において、前記殻体の第１通風口の一側に通気窓を設けることを特徴とする。
請求項９の考案は、請求項１記載の簡単に分解可能なモジュール化静電除去器において、前記殻体内の収容空間に監視制御装置を設け、該監視制御装置に電源制御モジュールを設け、該電源制御モジュールが第１接続部材を設け、且つ該監視制御装置が底台を設け、該底台の少なくとも一側に第３滑動部を設けることを特徴とする。
【０００７】
したがって、本考案のモジュール化した構造によって、それぞれモジュール化した回路板を電気接続させることができ、簡単に分解を達成でき、且つ迅速に組み立てでき、電子部品の修理及び交換時間を大幅に短縮し、人力資源の節減を達成する。
【考案の効果】
【０００８】
本考案の効果を明らかに示すため、従来技術と比較分析して説明する。
従来技術：
１．空気ガイド管の分解が通風機と固定通気窓を連体した分解を必要とする。
２．組み立て及び分解が困難である。
３．電源が空気ガイド管の突起部分に溶接固定され、組み立て及び修理が困難である。
本考案の利点：
１．回路板をモジュール化し、迅速な組み立て、分解ができる。
２．電子部品の修理及び交換時間を大幅に短縮できる。
３．人力資源を節減する。
【考案を実施するための最良の形態】
【０００９】
上記の目的及び効果を達成するため、本考案が採用する構造の技術的特徴及びその効果を理解し易くするため、図面及び本考案の好適な実施例と合わせて以下にその特徴および機能を説明する。
【００１０】
図３、図５に示すように、本考案の実施例は、分解式モジュール化静電除去器を提供し、それは、殻体１(図７参照)と、高電圧モジュール７と、放電モジュール３と、固定部材４と、通気窓５と、監視制御装置８と、送風装置６と、を含み、
該殻体１が第１殻体１１を設け、該第１殻体１１の一面に第１通風口１１１を設け、且つ該第１殻体１１内に第１滑動部１１２を設け、該第１殻体１１内に第２滑動部１１４を設け、且つ該殻体１に第２殻体１２を設け、該第２殻体１２の一側に第１開口１２３を設け、且つ該第２殻体１２の一側に第２通風口１２１を設け、該第２殻体１２の一側に第２開口１２２を設け、且つ該第２殻体１２に支軸１２５を設け、該支軸１２５が回路接続板１４を固定設置し、該回路接続板１４が第１接続部１４１を設け、且つ該回路接続板１４が第２接続部１４２を設け、該回路接続板１４が第３接続部１４４を設け、該第１殻体１１が第２殻体１２と相互に固定設置され、殻体１が形成される。
【００１１】
該高圧モジュール７が回路板７１を設け、該回路板７１が変圧器７３を設け、且つ該回路板７１が第２接続部材７４を設け、該回路板７１が電源接点７２２を設け、且つ該回路板７１の一側に底台７２を設け、該底台７２に支持部７２１を設けてなり、該放電モジュール３が複数の放電針３１を設け、該放電モジュール３が通孔３２を設け、該通孔３２が高圧モジュール７の回路板７１の一側の支持部７２１に套設し、該固定部材４は軸心４１を設け、該軸心４１は、放電モジュール３内の通孔３２に穿合されている。
該通気窓５は、挟持部５１を設け、該挟持部５１は中空Ｕ形の弾性挟みであり、且つ該挟持部５１は、第１殻体１１の第１通風口１１１を挟持固定し、該監視制御装置８は、底台８１を設け、該底台８１は、電源制御モジュール８３を設け、該電源制御モジュール８３は第１接続部材８４を設け、該第１接続部材８４は、第２殻体１２の第２開口１２２に穿合し、殻体１の回路接続板１４の第１接続部１４１と電機接続し、且つ該底台８１の少なくとも一側に第３滑動部８２を設け、該送風装置６は、第２殻体１２の第２通風口１２１の一側に固定設置されてなる。
【００１２】
更に、図３、図４、図５に示すように、該第１殻体１１内に第２滑動部１１４を設け、該操作モジュール１３を第１殻体１１内の第２滑動部１１４に固定設置させ、該回路接続板１４は、第３接続部１４４を設け、該操作モジュール１３の第３接続部材１３２を回路接続板１４の第３接続部１４４に電気接続させることができ、該操作モジュール１３に簡単分解の効果を達成させることができ、電子部品交換時間を更に短縮することができる。
【００１３】
図３、図６に示すように、該第１殻体１１と第２殻体１２を相互に固定接続する時、同時に殻体１を形成し、該殻体１内に収容空間１６を形成し、且つ該殻体１の一側に第１開口１２３を設け、該殻体１に第１滑動部１１２を設け、該高圧モジュール７の回路板７１が殻体１内の第１滑動部１１２に滑動設置されることによって、同時に該殻体１の収容空間１６内に設置され、更に該殻体１内の収容空間１６の回路接続板１４が第２接続部１４２を設けることによって、該高圧モジュール７の第２接続部材７４に電気接続でき、該回路接続板１４を高圧モジュール７と電気接続させることができる（図９参照）。
また、該殻体１の一側に第１通風口１１１を設けることによって、該放電モジュール３の通孔３２に高圧モジュール７の底台７２の支持部７２１を套設させることができ、該放電モジュール３の接触部３３を高圧モジュール７の電源接点７２２と係合させることができ、且つ該固定部材４の軸心４１に放電モジュール３の通孔３２を穿合させることができ、同時に放電モジュール３と高圧モジュール７を総合に螺合固定し、該通気窓５が挟持部５１を設け、該挟持部５１は、中空Ｕ形の弾性挟みであり、且つ該挟持部５１が殻体１の第１通風口１１１に挟持されることによって、該通気窓５を殻体１の一側に簡単に挟持させることができ、図７のように、同時に放電モジュール３および固定部材４を包み、使用者がその放電モジュール３に触れ、事故が発生することを回避する。
【００１４】
更に、図５、図８に示すように、該回路接続板１４に被滑動部１４３を設け、且つ該回路接続板１４は、第１接続部１４１を設け、該監視制御装置８の第３滑動部８２が回路接続板１４の被滑動部１４３に滑動設置されるようにし、同時に該監視制御装置８の第１接続部材８４を回路接続板１４の第１接続部１４１に電気接続させることができ、監視制御装置８を回路接続板１４に簡単に滑動設置することができ、図9に示すように、該監視制御装置８を回路接続板１４に更に安定固定させ、本考案の簡単に分解可能なモジュール化の目的を達成させ、電子部品の修理及び交換の時間を大幅に短縮することができる。
【００１５】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【図面の簡単な説明】
【００１６】
【図１】従来技術の分解説明図である。
【図２】図１の部分断面説明図である。
【図３】本考案の実施例の分解説明図である。
【図４】図３の第１殻体のもう１つの角度の説明図である。
【図５】図３のもう１つの角度の部分分解説明図である。
【図６】本考案の高圧モジュールの動作説明図である。
【図７】図６の部分組み合わせ説明図である。
【図８】本考案の監視制御装置と回路接続板の結合説明図である。
【図９】本考案の殻体内の高圧モジュールと回路接続板と監視制御装置の組み合わせ説明図である。
【図１０】本考案の立体組み合わせ説明図である。
【符号の説明】
【００１７】
１  殻体
１１  第１殻体
１１１  第１通風口
１１２  第１滑動部
１１４  第２滑動部
１２  第２殻体
１２１  第２通風口
１２２  第２開口
１２３  第１開口
１２５  支軸
１３  操作モジュール
１３２  第３接続部材
１４  回路接続板
１４１  第１接続部
１４２  第２接続部
１４３  被滑動部
１４４  第３接続部
１６  収容空間
３  放電モジュール
３１  放電針
３２  通孔
３３  接触部
４  固定部材
４１  軸心
５  通気窓
５１  挟持部
６  送風装置
７  高圧モジュール
７１  回路板
７２  底台
７２１  支持部
７２２  電源接点
７３  変圧器
７４  第２接続部材
８  監視制御装置
８１  底台
８２  第３滑動部
８３  電源制御モジュール
８４  第１接続部材
９３  箱体
９３１  空気ガイド管
９３２  突起部分
９４  電子放電モジュール
９４１  放電電極
９５  通風機
９５１  固定通気窓
【図１】
0003146215.tif 000003
【図２】
0003146215.tif 000004
【図３】
0003146215.tif 000005
【図４】
0003146215.tif 000006
【図５】
0003146215.tif 000007
【図６】
0003146215.tif 000008
【図７】
0003146215.tif 000009
【図８】
0003146215.tif 000010
【図９】
0003146215.tif 000011
【図１０】
0003146215.tif 000012